(57)【要約】【課題】電子商取引において、時間経過に応じて価格が変動する場合に、利用者が将来にわたる価格変動を知ることができるようにする。【解決手段】電子商取引用サーバーにおいて、変動価格情報入力受付手段が前記商品又はサービスの提供者が操作する提供者コンピューターから前記商品又はサービスごとに前記変動価格情報を定める情報の入力を受け付け、これに基づいて各商品又はサービスに関する変動価格情報を記憶させ、変動価格表示手段が前記商品の購入者又は前記サービスの利用者が操作する利用者コンピューターに送信し表示させる前記商品又はサービスを提供するための取引画面において、記憶された変動価格情報が示す時間経過とともに変動する価格を表したグラフ画像を、前記商品又はサービスごとに前記商品又はサービスに関連づけて表示するよう構成する。【選択図】  図３
2012234323.tif 000002
【特許請求の範囲】
【請求項１】
通信ネットワーク上で電子商取引を行う電子商取引用サーバーであって、
提供する商品又はサービスごとに、当該商品又はサービスに関する時間経過とともに変動する価格を示す変動価格情報を記憶する提供対象情報記憶手段と、
前記通信ネットワークに接続される、前記商品又はサービスの提供者が操作する提供者コンピューターから前記商品又はサービスごとに前記変動価格情報を定める情報の入力を受け付け、これに基づいて前記提供対象情報記憶手段に各商品又はサービスに関する変動価格情報を記憶させる変動価格情報入力受付手段と、
前記通信ネットワークに接続される、前記商品の購入者又は前記サービスの利用者が操作する利用者コンピューターに送信し表示させる前記商品又はサービスを提供するための取引画面において、前記提供対象情報記憶手段に記憶された変動価格情報が示す時間経過とともに変動する価格を表したグラフ画像を、前記商品又はサービスごとに前記商品又はサービスに関連づけて表示する変動価格表示手段と
を有する電子商取引用サーバー。
【請求項２】
前記電子商取引用サーバーにおいて、前記提供対象情報記憶手段は、前記商品の販売可能個数又は前記サービスの提供可能数を示す残存数も商品又はサービスごとに記憶するものであり、
前記提供者コンピューターから前記商品又はサービスごとに前記残存数の初期値を定める情報の入力を受け付け、これに基づいて前記提供対象情報記憶手段に各商品又はサービスに関する残存数を記憶させる残存数初期値入力受付手段と、
前記商品の販売又はサービスの提供がされるごとに、前記提供対象情報記憶手段に記憶されている当該商品又はサービスの残存数を減じて記憶させる残存数減算手段とを有し、
前記変動価格表示手段は、商品又はサービスごとに前記提供対象情報記憶手段に記憶されている前記残存数も合わせて表示するものである請求項１項に記載の電子商取引用サーバー。
【請求項３】
前記変動価格情報入力受付手段は、
時間軸と価格軸とからなる入力用グラフ画像を表示した、前記変動価格情報を定める情報を入力するための変動価格入力画面であって、前記提供者コンピューターが当該入力用グラフ画像に線グラフを描画するための描画データの入力を受け付けると、受け付けられた当該描画データに基づいて前記入力用グラフ画像に線グラフが描画される変動価格入力画面を前記提供者コンピューターに送信し表示させる入力画面表示手段と、
前記提供者コンピューターから送信される前記変動価格情報を定める情報として、特定の前記描画データを前記商品又はサービスごとに受け付け、当該描画データに基づいて得られる前記変動価格情報を前記商品又はサービスごとに前記提供対象情報記憶手段に記憶する変動価格情報記録手段と
を有する請求項１又は２に記載の電子商取引用サーバー。
【発明の詳細な説明】
【技術分野】
【０００１】
この発明は、インターネットなどの通信ネットワーク上において、電子商取引を行うためのサーバーに関し、特に、時間経過とともに取引対象の価格が変動するものに関する。
【背景技術】
【０００２】
ホテル、映画等の定員のあるサービスや、生鮮食品などの消費期限の定められている商品等は、定員の状況や、販売からの日時に応じて、商品やサービスの価値が変動するものである。このような場合、一般的には、サービスや商品の提供者の判断によって、状況に応じて提供価格を変えることが行われる。
このようにサービスや商品の価格を変えることは、電子商取引においても行われているが、価格を変更するごとに人為的に販売画面における価格を書き換える必要がある。しかし、実店舗における販売のように担当者が現場にいるわけではないために価格の変更がおろそかになったり、商品数等が多い場合には対応が困難になったりするといった問題がある。
これに対して、下記特許文献には、時間経過とともに変化する商品等の価格を予め設定しておき、この設定に応じて自動的に販売画面における商品等の価格を変えることが示されている。このようにしておけば、電子商取引においても価格の変更を担当者が忘れたり、多くの商品の価格変更に対応できなくなったりするという問題を解消することができる。
【先行技術文献】
【特許文献】
【０００３】
【特許文献１】特開２００１−３５７２４７号公報
【発明の開示】
【発明が解決しようとする課題】
【０００４】
ところで、商品やサービスの価格が時間とともに変動する場合、商品の購入者やサービスの利用者の立場からみるといつ商品等を購入するかが重要な問題となる。たとえば、時間的な利益を優先して、多少高くても早く購入等をしたいと考える利用者もいれば、多少購入等が遅れてできるだけ金銭的な出費を抑えたいという利用者も存在する。しかし、時間とともに価格が変動することはわかっていても、将来どのように価格が変動するのかを具体的に利用者が把握できない場合、利用者は明確な価値判断ができず、購入等を躊躇したり、不本意なタイミングで購入等をしてしまったりすることが考えられる。
本発明は、以上のような問題に鑑み、電子商取引において、時間経過に応じて価格が変動する場合に、利用者が将来にわたる価格変動を知ることができるようにすることを課題とする。
【課題を解決するための手段】
【０００５】
上記課題を解決するために、本発明は次のような構成を有する。
請求項１に記載の発明は、通信ネットワーク上で電子商取引を行う電子商取引用サーバーであり、提供する商品又はサービスごとに、当該商品又はサービスに関する時間経過とともに変動する価格を示す変動価格情報を記憶する提供対象情報記憶手段を有する。そして、変動価格情報入力受付手段が、前記通信ネットワークに接続される、前記商品又はサービスの提供者が操作する提供者コンピューターから前記商品又はサービスごとに前記変動価格情報を定める情報の入力を受け付け、これに基づいて前記提供対象情報記憶手段に各商品又はサービスに関する変動価格情報を記憶させる。さらに、変動価格表示手段が前記通信ネットワークに接続される、前記商品の購入者又は前記サービスの利用者が操作する利用者コンピューターに送信し表示させる前記商品又はサービスを提供するための取引画面において、前記提供対象情報記憶手段に記憶された変動価格情報が示す時間経過とともに変動する価格を表したグラフ画像を、前記商品又はサービスごとに前記商品又はサービスに関連づけて表示する。
【０００６】
請求項２に記載の発明は、前記電子商取引用サーバーにおいて、前記提供対象情報記憶手段は、前記商品の販売可能個数又は前記サービスの提供可能数を示す残存数も商品又はサービスごとに記憶する。そして、残存数初期値入力受付手段が前記提供者コンピューターから前記商品又はサービスごとに前記残存数の初期値を定める情報の入力を受け付け、これに基づいて前記提供対象情報記憶手段に各商品又はサービスに関する残存数を記憶させ、残存数減算手段が前記商品の販売又はサービスの提供がされるごとに、前記提供対象情報記憶手段に記憶されている当該商品又はサービスの残存数を減じて記憶させる。また、前記変動価格表示手段は、商品又はサービスごとに前記提供対象情報記憶手段に記憶されている前記残存数も合わせて表示する。
【０００７】
請求項３に記載の発明は、前記電子商取引用サーバーにおいて、前記変動価格情報入力受付手段は、入力画面表示手段と変動価格情報記録手段とを有する。入力画面表示手段は、  時間軸と価格軸とからなる入力用グラフ画像を表示した、前記変動価格情報を定める情報を入力するための変動価格入力画面であって、前記提供者コンピューターが当該入力用グラフ画像に線グラフを描画するための描画データの入力を受け付けると、受け付けられた当該描画データに基づいて前記入力用グラフ画像に線グラフが描画される変動価格入力画面を前記提供者コンピューターに送信し表示させる。変動価格情報記録手段は、記提供者コンピューターから送信される前記変動価格情報を定める情報として、特定の前記描画データを前記商品又はサービスごとに受け付け、当該描画データに基づいて得られる前記変動価格情報を前記商品又はサービスごとに前記提供対象情報記憶手段に記憶する。
【発明の効果】
【０００８】
上記構成により本発明は、次のような効果を奏する。
請求項１に記載の発明は、取引画面において、商品又はサービスの時間経過とともに変動する価格がグラフ画像として表示され、利用者は将来の価格変動を知ることができるので、利用者の納得のいく価格で商品の購入等をすることが可能となり、利用者にとっての利便性を高くすることができる。
請求項２に記載の発明は、時間経過とともに変動する価格を示すグラフとともに、商品又はサービスの残数が表示されるので、消費者は商品又はサービスの提供状況を鑑みながら、最も納得の行く価格で商品の購入等ができるので、さらに、利用者にとって利便性が高まる。
請求項３に記載の発明は、商品又はサービスの提供者が、提供画面において利用者に示す時間経過とともに変動する価格を示すグラフを視覚的に見ながら、価格を設定でき、サービス提供者にとっての利便性を高めることができる。
【図面の簡単な説明】
【０００９】
【図１】実施形態に係る電子商取引用サーバーが属するネットワークを模式的に示す図である。
【図２】電子商取引用サーバーのハードウエア構成の概要を示すブロック図である。
【図３】電子商取引用サーバーの機能を模式的に示す機能ブロック図である。
【図４】（ａ）は商品情報記憶部のレコード内容を模式的に示す図であり、（ｂ）は購入情報記憶部のレコード内容を模式的に示す図である。
【図５】変動価格入力画面の初期画面の例を示す例を示す図である。
【図６】変動価格入力画面の第一の操作過程例を示す図である。
【図７】変動価格入力画面の第二の操作過程例を示す図である。
【図８】変動価格入力画面の第三の操作過程例を示す図である。
【図９】変動価格入力画面の入力完了時の例を示す図である。
【図１０】取引画面の例を示す図である。
【図１１】電子商取引用サーバーの提供者コンピューターＢから変動価格情報の入力を受け付ける動作示すフローチャートである。
【図１２】電子商取引用サーバーＡの利用者コンピューターＣに対する商品販売時の動作示すフローチャートである。
【発明を実施するための形態】
【００１０】
以下、本発明の実施形態について図面を参照しながら説明する。
図１に本実施の形態に係る電子商取引用サーバーＡが属する通信ネットワークを模式的に示す。図１において電子商取引用サーバーAは通信ネットワークとしてインターネットを経由して、商品の販売者が操作する提供者コンピューターBと、商品の販売者が操作する利用者コンピューターCと接続されている。
【００１１】
図２に電子商取引用サーバーＡのハードウエア構成の概要を表すブロック図を示す。電子商取引用サーバーＡは一般的なコンピューターにより構成され、具体的には演算処理を行うCPU１１、CPUの作業領域となるRAM１２、基本的なプログラムはデータを記録するROM１３、CPUの動作タイミングを取るためのクロック１４、データやプログラムを記憶するためのハードディスク１５、データの入力を行うためのキーボード１８、マウス１９などの入力デバイス、情報を表示するためのモニター１６、インターネットに接続するためのルーター等のネットワークインターフェース１７などにより構成される。電子商取引用サーバーＡはこのような一般的なコンピューターに下記に示すような動作を行わせるプログラムを組み込むことにより実現される。なお、提供者用コンピューターB、利用者用コンピューターCも同様のハードウエア構成を有する。
【００１２】
図３に電子商取引用サーバーＡの機能を模式的に表す機能ブロック図を示す。電子商取引用サーバーＡは機能的に、商品情報記憶部１０１、HP送信部１０２、変動価格入力受付部１０３、残存数初期値入力受付部１０４、経過時更新部１０５、購入情報記憶部１０６、購入受付部１０７、残存数減算部１０８を有する。
商品情報記憶部１０１は提供対象情報記憶手段を構成するものであり、ここでは販売する商品に関する情報を記憶するものである。図４（ａ）に商品情報記憶部１０１のレコード内容を模式的に示す。商品情報記憶部１０１には、商品識別情報である商品コードを主キーとして商品の価格情報と商品の基本情報とが記憶される。価格情報として、変動価格の開始日時、変動価格の終了日時、開始価格、終了価格、初期の商品数、商品の残存数、後述する価格変動グラフを描画するための座標データが記憶される。座標データについては後述する。また、商品の基本情報として、商品名、商品説明、商品画像データなどが記憶される。
【００１３】
HP送信部１０２は、提供者コンピューターB及び利用者コンピューターCからのアクセスを受けて送信するホームページデータ及びホームページ上で作動するスクリプトが記憶される。ここには、提供者コンピューターBに送信するホームページとなる変動価格入力画面データ１０２ａ、描画データを提供者コンピューターに入力させるための描画入力スクリプト１０２ｂ、利用者コンピューターＣに送信するホームページとなる取引画面データ１０２ｃ、取引画面に表示されるグラフを表示するための描画スクリプト１０２ｄが含まれる。これらの画面及びスクリプトの動作については後述する。
【００１４】
変動価格情報入力受付部１０３は、上述したＨＰ送信部１０２に記憶される変動価格入力画面データ１０２ａ、描画入力スクリプト１０２ｂと、変動価格情報記録部１０３ａとから構成される。まず、変動価格入力画面データ１０２ａ、描画入力スクリプト１０２ｂについて説明する。図５に変動価格入力画面データ１０２ａ、描画入力スクリプト１０２ｂにより、提供者コンピューターＢに表示される変動価格入力画面１０００の初期画面の例を示す。変動価格入力画面１０００には、描画入力スクリプト１０２ｂにより描かれるグラフ入力表示１００１、開始日入力エリア１００２、終了日入力エリア１００３、開始価格入力エリア１００４、終了価格入力エリア１００５、販売個数入力エリア１００６、商品コード選択エリア１００７、決定ボタン１００８が表示される。この画面は、商品の販売者が、提供者コンピューターＢから変動価格入力画面を呼び出したときに提供者コンピューターＢに送信される。
【００１５】
この画面から、提供者が開始日入力エリア１００２、終了日入力エリア１００３、開始価格入力エリア１００４、終了価格入力エリア１００５のそれぞれに開始日、終了日、開始価格、終了価格を入力すると、図６に示すように、グラフ入力表示１００１に、入力された開始日及び終了日に基づいて横軸に日時が設定され、入力された開始価格及び終了価格に基づいて、縦軸に価格が設定され、ここに開始日から終了日に至る線グラフ１００１ａが表示される。線グラフ１００１ａの両端には線グラフを操作するための操作回転子ｓの画像が表示される、操作回転子ｓは回転中心が線グラフの端点に位置し、マウスなどのポインティングデバイスで回転させることができる。操作回転子ｓの機能については後述する。そのほか、グラフ表示中には、開始日と開始価格、終了日と終了価格が表示される。この線グラフ上をポインティングデバイスで選択することで、図７に示すように当該設定された点をアンカー点として操作回転子ｓを新たに追加設定することができる。ここで操作回転子ｓについて説明する。操作回転子ｓは、線グラフをベジェ曲線として描くための両端点及び制御点を設定するためのものである。操作回転子sは、回転中心とこれを囲む扁平な菱形からなり、回転中心から菱形の対向する鋭角が示す２方向における一定距離の位置にそれぞれ制御点が設定される。２つの操作回転子ｓの間における曲線は、各操作回転子sのそれぞれの回転中心が始点及び終点となり、曲線側に存在する２つの制御点を用いて３次のベジェ曲線が描かれるようになっている。アンカー点として設定された操作回転子ｓは回転のほか、ポインティングデバイスでドラッグしてグラフ入力表示１００１上を移動させることができるようになっており、これにより、アンカー点に設定された操作回転子sを移動させて回転させると、例えば、図８に示すように、操作回転子ｓの中心を通り、操作回転子ｓが示す方向に存する接線を有するような曲線が描かれることとなる。提供者は、操作回転子ｓを適宜設定して移動させ、回転させることで、例えば図９に示すように任意の曲線を描くことができる。なお、グラフ画面上では、開始価格又は終了価格以外に最高価格を上限、最低価格を下限として、当該価格に達する日時とともにテキスト表示されるようになっている。また、操作回転子ｓの回転は水平状態から９０度〜―９０度の間までしか回転できないようになっており、開始日と終了日の操作回転子ｓについては回転はできるが移動はできないようになっている。このような操作により、提供者は、商品の変動価格を示す線グラフを自由に設定することができる。
【００１６】
提供者は、さらに、上記のグラフが示す変動価格の対象となる商品の商品コードを商品コード選択エリア１００７から選択する。商品コード選択エリア１００７では、商品情報記憶部１０１に記憶されているすべての商品コードがプルダウンメニューにより表示され、選択できるようになっている。また、提供者は、販売個数入力エリア１００６に、指定した期間に販売する商品の個数を入力する。なお、上述したグラフの描画、商品コード選択エリア１００７への入力、販売個数入力エリア１００６への入力は互いに独立しているのでどのような順序で入力してもよい。
提供者が以上の入力内容を確定する場合、決定ボタン１００８を選択することで、これらのデータが電子商取引用サーバーＡへと送信される。即ち、商品コード、開始日、終了日、開始価格、終了価格、販売個数、アンカー点の座標データ、制御点の座標データが電子商取引用サーバーＡへと送信されることとなる。
【００１７】
送信されたデータのうち、販売個数以外は、変動価格情報記録部１０３ａが受け付け、アンカー点の座標データ、制御点の座標データを商品情報記憶部１０１の座標データとして、開始日、終了日、開始価格、終了価格を商品コードに関連付けて商品情報記憶部１０１に記憶させる。これらのデータがグラフを描くための描画データとなる。
また、販売個数のデータは、残存数初期値入力受付部１０４が受け付けて、商品情報記憶部１０１に商品コードに関連付けて初期商品数として記憶させる。また、初期商品数は商品情報記憶部１０１の残存数の当初データとしても記憶される。
【００１８】
図１０に取引画面データ１０２ｃ、描画スクリプト１０２ｃにより、利用者コンピューターＢに表示される取引画面２０００の例を示す。取引画面２０００は特定の商品に関して、商品情報記憶部１０１から呼び出される商品画像２００１、商品説明２００２等と共に、描画スクリプト１０２ｃにより表示されるグラフ表示２００３が表示される。グラフ表示２００３は、商品情報記憶部１０１に記憶される、開始日、終了日、開始価格、終了価格、アンカー点の座標データ、制御点の座標データを含む描画データに基づき、座標及び線グラフが描かれて表示される。グラフ表示には、開始日、開始価格、終了日、終了日、終了価格、存在する場合は、上限価格、下限価格とそれに達する日時がテキスト情報として表示される。また、グラフ表示においては、現在日時を表す縦の日時表示ライン２００３ａが実際の日時に応じて表示され、また、現在日時表示２００４とグラフが示す現在価格表示２００５が取引画面２０００にテキスト情報として表示される。経過時更新部１０５は、現在の日時と、現在価格を、一定時間ごとに更新データとして取引画面２０００が表示されている利用者コンピューターＣへ送信するようになっており、これに基づいて取引画面２０００の日時表示ライン２００３ａ、日時表示２００４、現在価格２００５は適宜更新して表示される。また、取引画面２０００には商品の残存数表示２００６がテキスト情報として表示される。この残存数２００６は商品情報記憶部１０１の残存数に基づいて表示される。
【００１９】
さらに、取引画面２０００には、商品を購入するための購入ボタン２００７が表示されており利用者は、このボタンを選択することで、選択した時間における価格で商品を購入することができる。商品の購入受付は、このボタンによるワンクリックで行われるようにしてもよく、さらに清算画面を経由して行われるようにしてもよい。この購入情報は電子商取引用サーバーＡへと送信される。
購入受付部１０７は、この送信されてくる購入情報を受け付け、購入情報記憶部１０６に記憶する。購入情報記憶部１０６の記憶内容を図５（ｂ）に模式的に示す。購入情報記憶部１０６には受注識別情報に関連付けて、購入情報として商品コード、顧客情報、受注日時、購入価格、清算情報、発注情報などが記憶される。
また、残存数減算部１０８は、購入受付部１０７が購入情報を受け付けると、商品情報記憶部１０１において、受け付けられた購入情報に示される商品コードに関連づけられた残存数を減算して更新して記憶させる。即ち、取引画面２０００における残存数２００５は、商品が購入されるごとに減算して表示されることになる。
【００２０】
次に、以上のような構成を有する電子商取引用サーバーＡの動作について説明する。まず、提供者コンピューターＢから変動価格情報の入力を受け付ける動作について説明する。図１１にかかる動作を表すフローチャートを示す。なお、既に商品情報記憶部１０１には、商品基本情報が提供者により記憶されているものとする。最初に、提供者コンピューターＢから電子商取引用サーバーＡ内の特定ファイルを示すＵＲＬが送られてくるので、ＨＰ送信部１０２が、まず図示しない認証画面を送信し、提供者コンピューターＢから送られてくる認証情報に基づいて認証処理を行う（ｓ１０１）。認証が完了するとＨＰ送信部１０２が図示しない初期画面を送信する（ｓ１０２）。初期画面では、提供者コンピューターＢの管理メニューが表示され、提供者情報の入力修正画面、商品情報入力画面、変動価格入力画面へのリンクが設定されている。ここで、変動価格入力画面以外が選択されると、他の入力画面が送信され、これに基づいた処理が行われるが、説明が煩雑になるので、これらの処理についての説明は省略する。一方、変動価格入力画面へのリンクが選択されるとＨＰ送信部１０２から変動価格入力画面１０００を提供者コンピューターＢへ描画入力スクリプトとともに送信する（ｓ１０４）。その後、提供者コンピューターＢから商品コード、開始日、終了日、開始価格、終了価格、販売個数、描画データが送られてくるので、変動価格記録部１０３ａ及び残存数初期値入力受付部１０４がこれらを受け付けて、商品情報記憶部１０１に、受け付けた商品コードに関連づけて記憶する（ｓ１０５）。その後、ｓ１０４、ｓ１０５の動作が、入力処理の終了が選択されるまで繰り返される（ｓ１０６）。
【００２１】
次に、電子商取引用サーバーＡの利用者コンピューターＣに対する商品販売時の動作について説明する。図１２にかかる動作を表すフローチャートを示す。まず、利用者コンピューターＣから電子商取引用サーバーＡ内の取引画面に対応する特定ファイルを示すＵＲＬが送られてくるので、ＨＰ送信部１０２が、まず図示しない取引初期画面を送信する（ｓ２０１）。その後、この取引初期画面から利用者が特定の商品を選択することで、当該商品の商品コードが送信されてくるのでこれを受信し（ｓ２０２）、ＨＰ送信部１０２は取引画面２０００を描画スクリプトとともに利用者コンピューターＣへ送信する（ｓ２０３）。また、経過時更新部１０５は、アクセス時の時間における時間情報と商品価格情報を利用者コンピューターＣへ送信し（ｓ２０４）、これに基づいて描画スクリプトが取引画面２０００においてグラフ上にアクセス時の時間における日時表示ライン２００３ａを表示し、現在日時表示２００４、現在価格表示２００５をテキストデータとして表示する。その後、商品が購入されることを待って（ｓ２０５）、商品が購入されるまでに、グラフを更新する時間が来た場合は、経過時更新部１０５が更新時の時間における時間情報と商品価格情報を利用者コンピューターＣへ送信する（ｓ２０４）。これに基づいて描画スクリプトが取引画面２０００の表記を更新する。商品が購入されると、購入情報が利用者コンピューターＣから送信されてくるので、購入受付部１０７が受け付け、購入情報記憶部１０６に記憶させる（ｓ２０７）、同時に、残存数減算部１０８が商品情報記憶部１０１の購入情報に含まれる商品コードに関連付けられた残存数を減算して記憶させる（ｓ２０８）、その後は、ｓ２０１に戻り取引初期画面が送信される。以上のような動作が取引画面が閉じられるまで繰り返される。
【００２２】
以上説明した動作により、本実施形態に係る電子商取引用サーバーＡは、利用者に対して、商品の時間により変動する価格を線グラフにより表示し、また、商品の残数も表示するので、利用者は商品の将来の価格変動と、商品の売れ行き動向を考慮して商品を購入することができる。また、商品の提供者は、商品の価格変動を示す線グラフを視覚的に確認しながら設定できるので、簡易に価格変動を示す線グラフを設定することができる。
なお、上記実施形態では、電子商取引用サーバーは、商品の販売を行うものを例示したが、サービスの提供を行うものでもよく、ホテル等の空室や観劇等の座席などの予約、美容室等の予約などにも利用することができる。
また、上記実施形態では、変動価格入力画面において、最初、開始価格、終了価格のみを入力することで初期のグラフを描くようにしているが、この他にも最初に中間の日時における価格も入力するようにして、これに基づいて初期のグラフを描くようにしてもよい。さらに、予め過去の販売データに基づくグラフのモデルを選択できるようにしておき、開始価格又は終了価格と期間のみを入力することで、モデルに形状にあったグラフを自動生成する等、線グラフの描画方法は種々の変更が可能である。
【符号の説明】
【００２３】
Ａ  電子商取引用サーバー
Ｂ  提供者コンピューター
Ｃ  利用者コンピューター
１０１  商品情報記憶部
１０２  ＨＰ送信部
１０２ａ  変動価格入力画面データ
１０２ｂ  描画入力スクリプト
１０２ｃ  取引画面データ
１０２ｄ 描画スクリプト
１０３  変動価格入力受付部
１０３ａ 変動価格情報記録部
１０４  残存数初期値入力受付部
１０５  経過時更新部
１０６  購入情報記憶部
１０７  購入受付部
１０８  残存数減算部
１０００ 変動価格入力画面
１００１ グラフ入力表示
１００２ 開始日入力エリア
１００３ 終了日入力エリア
１００４ 開始価格入力エリア
１００５ 終了価格入力エリア
１００６ 販売個数入力エリア
１００７ 商品コード選択エリア
２０００ 取引画面
２００３  グラフ表示
２００４  現在日時表示
２００５  現在価格表示
２００６  残存数表示
【図１】
2012234323.tif 000003
【図２】
2012234323.tif 000004
【図３】
2012234323.tif 000005
【図４】
2012234323.tif 000006
【図５】
2012234323.tif 000007
【図６】
2012234323.tif 000008
【図７】
2012234323.tif 000009
【図８】
2012234323.tif 000010
【図９】
2012234323.tif 000011
【図１０】
2012234323.tif 000012
【図１１】
2012234323.tif 000013
【図１２】
2012234323.tif 000014